【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
回収装置であって、
第１のカテーテルを備え、該第１のカテーテルは、遠位端と、近位端と、少なくとも１本のワイヤを受容し、前記少なくとも１本のワイヤが前記第１のカテーテルのいずれかの端部を越えて伸び出すように構成された管腔システムと、開口システムとを有しており、前記開口システムを通してループを形成することができ、前記開口システムは、前記遠位端と、前記近位端との間に位置しており、前記管腔システムは、前記開口システムから離れた開口を有しており、前記管腔システムの前記開口は、少なくとも１本のワイヤを受容し、前記少なくとも１本のワイヤが前記第１のカテーテルの遠位端を越えて伸び出すように構成されており、
更に、第１のカテーテルに取付けられた遠位端、および、近位端を有しているワイヤを備えており、
ワイヤの近位端を操作して、第１のカテーテルの外でワイヤの一部にループを形成させ、ループは患者の体内で異物を把持することができる、
ことを特徴とする回収装置。
【請求項２】
前記管腔システムの内部に設置されるように構成されたガイドワイヤを更に備えていることを特徴とする、請求項１に記載の回収装置。
【請求項３】
前記開口システムは第１開口部および第２開口部を有しており、第１開口部は第１の距離だけ第１のカテーテルの遠位端から間隔を設けられており、第２開口部は第２の距離だけ第１のカテーテルの遠位端から間隔を設けられており、第１の距離および第２の距離は実質的に等しいことを特徴とする、請求項１に記載の回収装置。
【請求項４】
形成されるループは、形状が実質的に円形である開位置を有していることを特徴とする、請求項１に記載の回収装置。
【請求項５】
前記管腔システムは１個の管腔を有していることを特徴とする、請求項１に記載の回収装置。
【請求項６】
前記第１のカテーテルは先細り形状であることを特徴とする、請求項１に記載の回収装置。
【請求項７】
前記管腔システムは第１の管腔および第２の管腔を有しており、前記第１の管腔は、少なくとも、（ａ）ガイドワイヤを受容し、前記ガイドワイヤが前記第１のカテーテルのいずれかの端部を越えて伸び出すように構成され、（ｂ）ループを形成するように適応されたワイヤを受容するように構成されることを特徴とする、請求項１に記載の回収装置。
【請求項８】
前記第１のカテーテルは、互いに一緒に接続される少なくとも２つの部分を有していることを特徴とする、請求項１に記載の回収装置。
【請求項９】
前記ワイヤに接続されたハンドルを更に備えており、ハンドルを操作して、ワイヤの一部に前記開口システムを通過させて、患者の体内で異物を把持することのできるループを形成することができることを特徴とする、請求項１に記載の回収装置。
【請求項１０】
前記ワイヤに接続された補強ループ材を更に備えており、ワイヤの近位端が操作されてループを形成すると、ループの少なくとも一部が補強ループ材に近接するようになることを特徴とする、請求項１に記載の回収装置。
【請求項１１】
前記補強ループ材は、ＰＴＦＥ（ポリテトラフルオロエチレン）で構成されることを特徴とする、請求項１に記載の回収装置。
【請求項１２】
前記補強ループ材はステンレス鋼からなることを特徴とする、請求項１０に記載の回収装置。
【請求項１３】
前記補強ループ材はニチノールからなることを特徴とする、請求項１０に記載の回収装置。
【請求項１４】
前記補強ループ材はタングステンまたはプラチナからなることを特徴とする、請求項１０に記載の回収装置。
【請求項１５】
前記ワイヤの近位端の附近でワイヤに接続された補強プッシャー材を更に備えていることを特徴とする、請求項１に記載の回収装置。
【請求項１６】
前記補強プッシャー材はニチノールからなることを特徴とする、請求項１５に記載の回収装置。
【請求項１７】
前記補強プッシャー材はステンレス鋼からなることを特徴とする、請求項１５に記載の回収装置。
【請求項１８】
前記補強プッシャー材は第２のカテーテルであり、第２のカテーテルを操作して、前記ワイヤの一部に前記開口システムを通過させて、患者の体内で異物を把持することのできるループを形成することができることを特徴とする、請求項１５に記載の回収装置。
【請求項１９】
前記第１のカテーテルの遠位端に接続された第１の止血弁と、前記第２のカテーテルの遠位短に接続された第２の止血弁とを更に備えていることを特徴とする、請求項１８に記載の回収装置。
【請求項２０】
前記第１のカテーテルの遠位端に接続されたサイドアームアダプタを更に備えていることを特徴とする、請求項１に記載の回収装置。
【請求項２１】
前記サイドアームアダプタに接続されたロック装置を更に備えていることを特徴とする、請求項２０に記載の回収装置。
【請求項２２】
前記ロック装置に接続された止血弁を更に備えていることを特徴とする、請求項２１に記載の回収装置。
【請求項２３】
回収装置であって、
第１のカテーテルを備え、該第１のカテーテルは、遠位端と、近位端と、少なくとも１本のワイヤを受容して、少なくとも１本のワイヤが第１のカテーテルのいずれかの端部を越えて伸び出ることができるように構成された管腔システムと、開口システムとを有しており、該開口システムを通してループを形成することができ、
第１のワイヤを備え、該第１のワイヤは、管腔システムの内部に設置され、第１のカテーテルのいずれかの端部を越えて伸び出るように構成されており、
第２のワイヤを備え、該第２のワイヤは、遠位端および近位端を有しており、第２のワイヤの遠位端が第１のカテーテルに取付けられており、
第２のワイヤの近位端を操作して、第２のワイヤの一部に開口システムを通過させて、患者の体内で異物を把持することができるループを形成することができる、
ことを特徴とする回収装置。
【請求項２４】
前記開口システムは、前記第１のカテーテルの遠位短から実質的に等距離に向けられた２つの開口部を有していることを特徴とする、請求項２３に記載の回収装置。
【請求項２５】
形成されるループは、形状が実質的に円形である開位置を有している、請求項２３に記載の回収装置。
【請求項２６】
前記管腔システムは１個の管腔を備えていることを特徴とする、請求項２３に記載の回収装置。
【請求項２７】
前記管腔システムは第１の管腔および第２の管腔を有しており、前記第１のワイヤは第１の管腔の内部に設置され、前記第１のカテーテルのいずれかの端部を越えて伸び出るように構成されており、前記第２のワイヤは第２の管腔の内部に設置されていることを特徴とする、請求項２３に記載の回収装置。
【請求項２８】
前記第１のカテーテルは先細り形状であることを特徴とする、請求項２３に記載の回収装置。
【請求項２９】
前記第１のカテーテルは互いに一緒に接続された少なくとも２つの部分から構成されていることを特徴とする、請求項２３に記載の回収装置。
【請求項３０】
前記第２のワイヤは先細り形状であることを特徴とする、請求項２３に記載の回収装置。
【請求項３１】
前記第２のワイヤに接続されたハンドルを更に備えており、ハンドルを操作して、第２のワイヤの一部に前記開口システムを通過させ、患者の体内で異物を把持することができるループを形成することができることを特徴とする、請求項２３に記載の回収装置。
【請求項３２】
前記第２のワイヤに接続された補強ループ材を更に備えており、第２のワイヤの近位端を操作してループを形成した時に、ループの少なくとも一部が補強ループ材に隣接するようにしたことを特徴とする、請求項２３に記載の回収装置。
【請求項３３】
前記第２のワイヤの近位端の附近で第２のワイヤに接続された補強プッシャー材を更に備えていることを特徴とする、請求項３２に記載の回収装置。
【請求項３４】
前記補強プッシャー材は前記第１のワイヤを受容するように構成された第２のカテーテルであり、第２のカテーテルを操作して、第２のワイヤの一部に前記開口システムを通過させて、患者の体内で異物を把持することのできるループを形成することができることを特徴とする、請求項３３に記載の回収装置。
【請求項３５】
前記第１のカテーテルの遠位端に接続された第１の止血弁を更に備えていることを特徴とする、請求項３４に記載の回収装置。
【請求項３６】
前記第１のカテーテルの遠位端に接続されたサイドアームアダプタを更に備えていることを特徴とする、請求項２３に記載の回収装置。
【請求項３７】
前記サイドアームアダプタに接続されたロック装置を更に備えていることを特徴とする、請求項３６に記載の回収装置。
【請求項３８】
前記ロック装置に接続された止血弁を更に備えていることを特徴とする、請求項３７に記載の回収装置。
【請求項３９】
前記管腔システムは、少なくとも、（ａ）ガイドワイヤを受容し、前記ガイドワイヤが前記第１のカテーテルのいずれかの端部を越えて伸び出すように構成され、（ｂ）ループを形成するように適応されたワイヤを受容するように構成されており、前記管腔システムの開口は、前記ガイドワイヤを受容し、前記ガイドワイヤが前記第１のカテーテルの遠位端を越えて伸び出すように構成されることを特徴とする、請求項１に記載の回収装置。
【請求項４０】
前記管腔システムは第１の管腔および第２の管腔を有しており、少なくとも１つのワイヤは、前記第１の管腔の中に位置し、前記第１のカテーテルのいずれかの端部を越えて伸び出すように構成されることを特徴とする、請求項１に記載の回収装置。